(57)【特許請求の範囲】
【請求項１】
少なくとも、外気を吸入する吸入側送風機を有する筐体であって、前記筐体の天井と対向する面に吸入孔が形成された筐体と、
前記筐体の外部であって、前記吸入孔の上面に配置され、前記筐体とねじで固定された外部フィルタと、
前記面、及び天井に設けられた支柱に固定され、前記外部フィルタの上面と非接触である取付金具と、
前記取付金具に対して、前記外部フィルタを水平方向に移動させて着脱可能とする固定具を備えたことを特徴とする天井吊り下げ形液晶プロジェクタの防塵装置。
【請求項２】
請求項１に記載の天井吊り下げ形液晶プロジェクタの防塵装置であって、
前記固定具は、
前記面に配置され、平面方向への移動を阻止する第１の固定具と、
前記取付金具に配置され、上下方向への移動を阻止する第２の固定具とで形成されることを特徴とする天井吊り下げ形液晶プロジェクタの防塵装置。
【請求項３】
光を出射する光源と、
前記光源からの光を映像信号に応じた光学像に変調する映像表示素子と、
請求項１又は２に記載の天井吊り下げ形液晶プロジェクタの防塵装置とを備えたことを特徴とする液晶プロジェクタ。
【発明の詳細な説明】
【０００１】
【発明の属する技術分野】
本発明は天井吊り下げ形液晶プロジェクタの防塵装置に関する。
【０００２】
【従来の技術】
従来の天井吊り下げ形の液晶プロジェクタの防塵手段は、従来机の上に置いて使用する液晶プロジェクタの防塵手段と同様に、装置の内部を空気冷却するための吸入口の内部に金網メッシュ程度の細かな金網を貼り、防塵具として使用していた。
【０００３】
【発明が解決しようとする課題】
上記従来の例においては、机の上に置いて使用する場合は、吸入口が底板に配備され下から上に向って吸入するため埃の浸入は比較的少なく、内部の液晶パネル等に付着して映像に写され映像の品位を下げる問題は発生しなかった。
【０００４】
しかし、天井吊り下げ方式の液晶プロジェクタは天井と結合される結合部品は底面に設けられているので逆さに取り付けられる。このことより、吸入口は上に向けて開いているので、長期使用に対して、空気より軽い埃が外気とともに金網メッシュ程度の細かな金網の目をくぐりぬけ、内部の液晶パネル等に付着して映像に写され、映像の品位を下げてしまう問題があった。
【０００５】
本発明の目的は、上記問題に鑑みてなされたもので、埃の浸入が少ない、天井吊り下げ形の液晶プロジェクタの防塵装置を提供するにある。
【０００６】
【課題を解決するための手段】
本発明は、上記目的を達成するため、下記の構成を採用したものである。
【０００７】
少なくとも約0.5〜2.5mmの内径をもつ多数の孔を三次元方向にもち、20mm以上の厚さに形成した外部フィルタで、装置内部を通風冷却する外気吸入口をふさいだ構成とされる。
【０００８】
該外気吸入口は液晶プロジェクタの底面に具備され、底面と天井を結合具により結合する構成とされる。
【０００９】
該外気吸入口より、外部フィルタを通して吸入される外気は内部の光学部品を冷却し、通風路により曲げられ液晶プロジェクタの前面、又は上面、又は下面に排出される構成とされる。
【００１０】
外部フィルタは、少なくとも第一のフィルタ固定具を周囲に固定され、水平方向に移動し、取付金具に係止し、フィルタ固定用ねじで液晶プロジェクタの底板に固定される構成とされる。
【００１１】
【本発明の実施の形態】
以下、本発明の実施形態を図に基づいて説明する。
【００１２】
図１は本発明の一実施形態の液晶プロジェクタ1を天井に吊り下げている状態を示す斜視図であって、1は液晶プロジェクタを示し、2は外部フィルタ、3は取付金具、4は支柱、5は金具固定ねじ、6は支柱固定ねじを示す。（上記3〜6は結合具としての実施手段である。）
同図において、液晶プロジェクタ1を逆さにして、底面の吸入口（図示せず）のある部分に外側より外部フィルタ2を設置し、底面に取付金具3を金具固定ねじ5により固定する。
【００１３】
さらに上端を天井に固定（図示せず）した支柱4のスタッド7を取付金具3の天面に設けられた一対の平行に直立した部材に形成されたＬ字形穴9の最終部に挿入し、（スタッド7は左右の二面に存在する。）一対の円瓜孔8に支柱固定ねじ6を挿入し、支柱の下端部に係合させ、円瓜孔8の遊び分により液晶プロジェクタのテルト角を調整して、支柱固定ねじ6を締付ける。
【００１４】
この状態で別途具備されたスクリーン（図示せず）に液晶プロジェクタ１より映像の光線を前面投写してなる。
【００１５】
図２は図１のＡ部拡大図で、本発明の要部である防塵装置自身である外部フィルタを固定した状態の斜視図であって、10はフィルタねじ、11は取付金具３の図中左側面部に具備されたフィルタ係止孔、12は第一のフィルタ固定具、13は第二のフィルタ固定具、14は液晶プロジェクタ１の底板を示す。
【００１６】
同図において、外部フィルタ2は底板14第一のフィルタ固定具12とフィルタ固定ねじ10により図中前方向の移動を阻止され、フィルタ係止孔11に第二のフィルタ固定具13を挿入することにより上下の移動を阻止される。
【００１７】
このことにより外部フィルタ2は液晶プロジェクタ1の底板14に固定される。また、フィルタ固定ねじ10をゆるめ、外部フィルタ1を図中底板の前後方向に移動することにより、外部フィルタ1は第一のフィルタ固定具12と第二のフィルタ固定具と共に上方に離脱することができる。
【００１８】
図３は外部フィルタ2の内部を約20倍の拡大率で見た断面図を示し、15は孔、16は孔15の壁を示し、厚さ約30mmの直線的な寸法に約20個の孔15が不規則に配列され、その孔15の内径は約0.5mmから2.0mm程度で無方向に並んだ孔15を孔５の直交する方向に切断したような形状をし、孔15の切断面は五角形の形状を多くはしている。これに埃の混ざった空気を吹き付けると多方向に伸びている孔15の壁に引っかかってしまい埃の通過を防止する。
【００１９】
図４は図２のB−B線に沿った断面図を示し、先の図と同じものには同じ符号を付し、その他17は蓋を示し、19は蓋17のフック部、18は蓋17のＵ字形弾性部、20は吸入孔、21は吸入側送風機、22は第一の通風路、23は第二の通風路を示す。
【００２０】
同図において、先の図で説明した外部フィルタ2を介し、吸入側送風機21により、外気を吸い込み光学部品（図示せず）を通風により、冷却する第一の通風路22と、光源としてのランプ（後記する）を通風により冷却する第二の通風路23に、外気は分かれて送風される。このとき特に第一の通風路22による通風は光学（部品）を冷却するためにあるので、外気の吸入により埃が浸入してしまうと、レンズ等の光学部品に付着してしまい、投写される映像に写り、映像の品位を下げてしまう問題を生ずる。
【００２１】
さらに天井に吊った液晶プロジェクタ1の埃の浸入状況は机等の上に置いた場合と異なり、フィルタの寸法が薄いと外部に抵抗するものがないため、空気より軽い比重の埃は風にのり、吸入口20より、容易に浸入してしまう。これを防ぐように先記約30mmの厚さで吸入口の径φ105を外部フィルタ2でふさぎ埃の浸入を防止している。一方液晶プロジェクタ1は内部は高密度でなる光学部品、電子部を搭載しているため、前記30mm×φ105の容積のフィルタを内部に収納するスペースは実装上確保できない。
【００２２】
このため外部フィルタ2として底板14の吸入口20の蓋17の上面に配置する。蓋17は多くの孔を具備し、通常の机等の上に置かれる場合は図示していないが底板14と蓋17の下面に厚さ１mm以下の金網メッシュ程度の網目でなるフィルタを挟み、フック部17を底板14の下面に挿入し、Ｕ字形弾性部で吸入口の壁を図中矢印方向に弾性力で押して吸入口20をふさぐ。
【００２３】
次に装置内に除塵して吸入した外気を冷却する構成について以下に説明する。
【００２４】
図５は本液晶プロジェクタのもつ冷却手段の平面方向の断面の略図を示し、図６は図５のD−D線に沿った断面の略図を示す。図５，６は天吊り形の液晶プロジェクタを示しているため机の上に置いた状態より上下が逆になっていることは勿論である。
【００２５】
符号50は排出側送風機を示し、51は楕円面鏡、52は第一のランプケース、53は第二のランプケース、54は円面鏡の通風孔、55は円面鏡、56はハウジング、57はユニットケースを示す。
【００２６】
同図（図５，６）において、吸入側送風機21により、外気を吸入され、ハウジング56内に具備された第二の通風路23を通り、円面鏡55の内面（図中ロ）に沿って通風し、楕円面鏡51の内面に沿って通風し、ランプ31を通風し、円面鏡55に具備された通風孔54を通り、ランプ31を空冷し、第一のランプケース52に具備されたケース通風孔59を通り、排出側送風機50により、外部に熱を排出する。
【００２７】
すなわち図中（5，6）イ、ロ、ハの順に外気を吸入し、通風し、排出することにより、ランプ31を空冷して発熱を防ぐ。
【００２８】
また前記第二の通風路23の壁は、前面に通風した空気を前面すなわち図５中上部、図６中右方向に曲げて放出するため、第二の通風路23を直角に水平方向に90°曲げて、又は上方向下方向に曲げて（図示せず）構成する。
【００２９】
上記曲がり部の外壁は第二の通風路の幅の1／3以上のRを曲げ、このRにより空気の流れを層流とし、乱流により渦の発生を防止し、渦による音の発生を防ぎ、スムースな送風を行う。また第二の通風路23は、光学部品を収納しているユニットケース57の下部に幅広の通風路として設けられるので装置全体を水平方向にコンパクトにまとめるのに有効であるのと、外気の浸入を防ぐフィルタを、外部フィルタとして装置の外部に敷設することができるので、その大きさをある程度自由に選べ、フィルタの性能本位で設計できる利点がある。
【００３０】
【発明の効果】
以上述べたごとく、本発明によれば、天吊り下げ形液晶プロジェクタにおいて、内部の構造を変えないで、机の上に置いて使用する方式の液晶プロジェクタと同じにして、冷却用吸入口を多数の無方向の小さな孔で形成される材料でふさぐことにより、空気中を浮遊する埃の浸入を防止する効果がある。
【図面の簡単な説明】
【図１】本発明の一実施例の斜視図である。
【図２】図１のＡ部拡大図である。
【図３】外部フィルタの断面図である。
【図４】図２のB−B線に沿った断面図を示す。
【図５】冷却手段の平面方向の断面を示す略図である。
【図６】図５のＤ−Ｄ線に沿った断面の略図である。
【符号の説明】
１…液晶プロジェクタ
２…外部フィルタ
３…取付金具
４…支柱
５…金具固定ねじ
６…支柱固定ねじ
７…スタッド
８…円瓜孔
９…Ｌ字形孔
１０…フィルタ固定ねじ
１１…フィルタ係止孔
１２…第一のフィルタ固定具
１３…第二のフィルタ固定具
１４…底板
１５…孔
１６…壁
１７…蓋
１８…Ｕ字形断性部
１９…フック部
２０…吸入孔
２１…吸入側送風機
２２…第一の通風路
２３…第二の通風路
３１…光源ランプ
４４…投写レンズの組
４５…第一の集光レンズ
５０…排出側送風機
５１…楕円面鏡
５２…第一のランプケース
５３…第二のランプケース
５４…第一の通風孔
５５…円面鏡
５６…ハウジング
５７…ユニットケース
５９…ケースの通風孔
【図１】
0003909137.tif 000002
【図２】
0003909137.tif 000003
【図３】
0003909137.tif 000004
【図４】
0003909137.tif 000005
【図５】
0003909137.tif 000006
【図６】
0003909137.tif 000007